(57)【要約】【課題】外障子を構成する外召し合わせ框の強度確保と断熱性能の確保との両立を図れる、窓装置の召し合わせ構造を実現する。【解決手段】外召し合わせ框４４を、全体がアルミニウム合金製で断熱材を備えない、非断熱框とし、その室内側面を合成樹脂製のカバー６３により、上下方向に全長にわたり覆う。また、カバー６３のうちで外召し合わせ框４４よりも面内方向片側に張り出した張出部６６と、外障子３を構成するガラスパネル４６との間に、シール材７２を設ける。【選択図】図４
2019120062.tif 000002
【特許請求の範囲】
【請求項１】
外障子及び内障子の閉鎖状態で面外方向に対向配置される、前記外障子を構成する外召し合わせ框と、前記内障子を構成する内召し合わせ框とを備えた、窓装置の召し合わせ構造であって、
前記内召し合わせ框が、室外側に配置された室外側内召し合わせ框と室内側に配置された室内側内召し合わせ框とを断熱材を介して面外方向に連結して成る断熱框であり、
前記外召し合わせ框が、全体が金属製で断熱材を備えない非断熱框であり、その室内側面が合成樹脂製のカバーにより上下方向にわたり覆われており、前記カバーのうちで前記外召し合わせ框から面内方向に張り出した部分と前記外障子を構成するガラスパネルとの間に、シール材が設けられている、
ことを特徴とする窓装置の召し合わせ構造。
【請求項２】
前記外召し合わせ框の室内側面と前記カバーの室外側面との間に、排水路が上下方向に設けられている、請求項１に記載した窓装置の召し合わせ構造。
【請求項３】
前記シール材が、前記カバーに対し一体に設けられている、請求項１〜２のうちのいずれか１項に記載した窓装置の召し合わせ構造。
【請求項４】
前記シール材は、前記カバーに対し別体に設けられている、請求項１〜２のうちのいずれか１項に記載した窓装置の召し合わせ構造。
【請求項５】
前記外召し合わせ框よりも前記内召し合わせ框の方が、閉鎖状態の前記外障子が位置する側に相当する面内方向片側の端部が面内方向片側に位置している、請求項１〜４のうちのいずれか１項に記載した窓装置の召し合わせ構造。
【請求項６】
前記カバーの一部に面内方向に開口した開口部が設けられ、前記開口部の内側に、クレセント受を固定するための補助金具が挿入されており、前記補助金具が、前記カバーの室内側に支持された金属製の目板を挿通した固定ねじによりねじ止めされている、請求項１〜５のうちのいずれか１項に記載した窓装置の召し合わせ構造。
【請求項７】
前記内召し合わせ框の室外側面に設けられた気密材が、前記目板の室内側面に接触している、請求項６に記載した窓装置の召し合わせ構造。
【発明の詳細な説明】
【技術分野】
【０００１】
本発明は、窓枠内に外障子及び内障子がそれぞれ建て込まれた窓装置の召し合わせ構造に関する。
【背景技術】
【０００２】
建物躯体の開口部には、採光や換気などを目的として、窓装置を設けることが行われている。このような窓装置を構成する窓枠の枠材や窓障子用の框材は、一般的にアルミニウム合金から造られている。ただし、アルミニウム合金は熱伝導率が高いため、枠材や框材の室内側部分の表面の温度は外気の温度に近くなり、そのままでは室内の冷暖房効果を損なう可能性があるだけでなく、冬期に結露が生じて、床やカーテンなどを汚損する可能性がある。
【０００３】
このような事情に鑑みて、特開平１０−１８４１９９号公報には、枠材や框材を、アルミニウム合金製の室外側フレームと合成樹脂製の室内側フレームとを連結して構成する構造が開示されている。このような従来構造の第１例では、室内側フレームを構成する合成樹脂の熱伝導率が低いため、室内側フレームの温度を、外気の温度に拘らず一定に保ち易くすることができる。このため、室内の冷暖房効果を向上させられるとともに、結露の発生を防止できる。ただし、このような従来構造の第１例では、枠材や框材の全体をアルミニウム合金製とした場合に比べて、耐久性や耐候性が低くなる。また、例えば窓装置の躯体取り付け作業時には、溶接による火花の影響や傷などの配慮も必要になる。
【０００４】
このような事情に鑑みて、特開平１０−１９６２２８号公報には、枠材や框材を、アルミニウム合金製の室外側フレーム及び室内側フレームと、これら室外側フレームと室内側フレームとを連結する合成樹脂製の断熱材とから構成する構造が開示されている。このような従来構造の第２例では、室外側フレームと室内側フレームとの間には、熱伝導率が低い合成樹脂製の断熱材が存在するため、これら室外側、室内側両フレーム同士の間での熱伝達量が少なくなる。このため、室内側フレームの温度を、外気の温度に拘らず一定に保ち易くすることができる。従って、室内の冷暖房効果を向上させられるとともに、結露の発生を防止できる。また、室内側フレームを合成樹脂製とした場合に比べて、耐久性及び耐候性の向上を図れる。さらに、窓装置の躯体取り付け作業時においても、溶接による火花の影響や傷などの配慮も軽減される。
【先行技術文献】
【特許文献】
【０００５】
【特許文献１】特開平１０−１８４１９９号公報
【特許文献２】特開平１０−１９６２２８号公報
【発明の概要】
【発明が解決しようとする課題】
【０００６】
ところで、外障子を構成する外召し合わせ框を、上述した従来構造の第２例のように、それぞれがアルミニウム合金製の室外側フレーム及び室内側フレームを合成樹脂製の断熱材により連結した断熱框とした場合にも、室内側フレーム全体を室外に露出させないようにすることは難しい。このため、その他の框材を断熱框とする場合に比べて、断熱性能の向上を図ることが難しくなる。近年、ビルやマンションなどの建築物の高層化が進んでおり、障子を構成する框材に要求される耐風圧強度が高まっているが、断熱材を備えた断熱框は、断熱材を備えていない、框材全体がアルミニウム合金製の非断熱框に比べて、耐風圧強度が低くなる。このため、外障子を構成する外召し合わせ框に関しては、断熱框を使用するよりも、耐風圧強度を高められる非断熱框を使用することが、窓装置の設計上有利になる場合がある。ただし、外召し合わせ框を単に非断熱框とした場合には、外気によって冷やされた外召し合わせ框の一部が室内に露出することで、室内温度の低下を招いたり、結露を生じさせたりする可能性がある。
【０００７】
本発明は、上述したような事情に鑑みなされたものであり、その目的は、外障子を構成する外召し合わせ框の強度確保と窓装置の断熱性能の確保との両立を図れる、窓装置の召し合わせ構造を実現することにある。
【課題を解決するための手段】
【０００８】
本発明の窓装置の召し合わせ構造は、外障子及び内障子の閉鎖状態で面外方向に対向配置される、前記外障子を構成する外召し合わせ框と、前記内障子を構成する内召し合わせ框とを備える。
前記内召し合わせ框は、断熱框であり、室外側に配置された室外側内召し合わせ框と、室内側に配置された室内側内召し合わせ框とが、断熱材を介して面外方向に連結されている。
前記外召し合わせ框は、全体が金属製で、断熱材を備えない非断熱框であり、その室内側面が合成樹脂製のカバーにより上下方向にわたり覆われている。また、前記カバーのうちで前記外召し合わせ框から面内方向に張り出した部分と、前記外障子を構成するガラスパネルとの間に、シール材（カバーとの一体成形品、カバーとは別体のパッキン材、カバーとガラスパネルの間に充填されるシーリング材などを含む）を設けている。
【０００９】
本発明では、例えば、前記外召し合わせ框の室内側面と前記カバーの室外側面との間に、排水路を上下方向に設けることができる。
【００１０】
本発明では、例えば、前記シール材を、前記カバーに対し一体に設けることができる。
【００１１】
あるいは、前記シール材を、前記カバーに対し別体に設けることもできる。
【００１２】
本発明では、例えば、閉鎖状態の前記外障子が位置する側に相当する面内方向片側の端部を、前記外召し合わせ框よりも前記内召し合わせ框で、面内方向片側に位置させることができる。
【００１３】
本発明では、例えば、前記カバーの一部に面内方向に開口した開口部を設け、前記開口部の内側に、クレセント受を固定するための補助金具を挿入し、前記補助金具を、前記カバーの室内側に固定された金属製の目板を挿通した固定ねじによりねじ止めすることができる。
【００１４】
本発明では、例えば、前記内召し合わせ框の室外側面に設けられた気密材を、前記目板の室内側面に接触させることができる。
【００１５】
本発明では、前記室外側内召し合わせ框及び前記室内側内召し合わせ框、並びに、前記外召し合わせ框をそれぞれ、アルミニウム合金製とすることができる。
アルミニウム合金としては、例えば、Ａ６０６３Ｓ−Ｔ５材（ＪＩＳ Ｈ ４１００）、すなわち、０．２０〜０．６重量％のＳｉと、０．３５重量％以下のＦｅと、０．１０重量％以下のＣｕと、０．１０重量％以下のＭｎと、０．４５〜０．９重量％のＭｇと、０．１０重量％以下のＣｒと、０．１０重量％以下のＺｎと、０．１０重量％以下のＴｉと、個々が０．０５重量％以下で合計が０．１５重量％以下の不可避不純物とを含み、残りをＡｌとしたものを、好ましく使用できる。
また、本発明では、前記断熱材を、例えばポリアミド６（ナイロン６）などの合成樹脂製で、帯状（板状）のものを使用することができる。
【発明の効果】
【００１６】
本発明によれば、外障子を構成する外召し合わせ框の強度確保と窓装置の断熱性能の確保との両立を図れる。
【図面の簡単な説明】
【００１７】
【図１】図１は、本発明の実施の形態の１例に係る窓装置を室内側から見た模式図である。
【図２】図２は、実施の形態の１例に係る窓装置の面内方向片側半部における縦断面図である。
【図３】図３は、実施の形態の１例に係る窓装置の横断面図である。
【図４】図４は、図３の面内方向中央部の部分拡大図である。
【図５】図５は、外障子を構成する外召し合わせ框部分の拡大断面図である。
【図６】図６は、カバー及びシール材の端面図である。
【図７】図７は、外召し合わせ框に対してカバーを取り付ける以前に行う段取工程を説明するために示す断面図である。
【図８】図８は、外召し合わせ框に対してカバーを取り付ける工程を説明するために示す断面図である。
【図９】図９は、クレセント受を取り出して示す図である。
【図１０】図１０は、外召し合わせ框に対するクレセント受の取り付け状態を示す斜視図である。
【図１１】図１１は、外召し合わせ框に対してクレセント受を取り付ける工程のうち、前半の工程を説明するために示す断面図である。
【図１２】図１２は、外召し合わせ框に対してクレセント受を取り付ける工程のうち、後半の工程を説明するために示す断面図である。
【図１３】図１３は、内障子を構成する内召し合わせ框部分の拡大断面図である。
【図１４】図１４は、図３から外障子及び内障子を省略して示す図である。
【発明を実施するための形態】
【００１８】
［実施の形態の１例］
実施の形態の１例について、図１〜図１４を参照して説明する。
本例は、引き違い式の窓装置１に、本発明を適用した場合を示している。窓装置１は、矩形枠状の窓枠２と、窓枠２の内側に面内方向（窓枠２の幅方向、水平方向）に関する移動可能に建て込まれた外障子３及び内障子４とを備えている。
【００１９】
窓枠２は、面内方向に配置されて上辺を構成する上枠５と、同じく面内方向に配置されて下辺を構成する下枠６と、鉛直方向に配置されて左右の縦辺を構成する１対の竪枠７ａ、７ｂとを備えている。そして、上枠５及び下枠６の面内方向両端部と１対の竪枠７ａ、７ｂの上下方向両端部とを、それぞれタッピングねじなどを用いて連結することにより、窓枠２を矩形枠（角部が直角状である四角枠）状に構成している。
なお、閉鎖状態の外障子３が位置する側を面内方向片側といい、閉鎖状態の内障子４が位置する側を面内方向他側という。
【００２０】
本例では、窓装置１の断熱性能を高めるべく、窓枠２の面外方向中間部に、複数の断熱材８ａ１（８ａ２）〜８ｄ１（８ｄ２）により構成される、矩形枠状の枠側断熱ライン９を設けている。このために、上枠５、下枠６、及び、１対の竪枠７ａ、７ｂのそれぞれを、アルミニウム合金製の室外側フレーム（室外側枠材）及び室内側フレーム（室内側枠材）を、合成樹脂製の断熱材によって面外方向に連結した連結構造としている。
【００２１】
アルミニウム合金としては、例えば、Ａ６０６３Ｓ−Ｔ５材（ＪＩＳ Ｈ ４１００）、すなわち、０．２０〜０．６重量％のＳｉと、０．３５重量％以下のＦｅと、０．１０重量％以下のＣｕと、０．１０重量％以下のＭｎと、０．４５〜０．９重量％のＭｇと、０．１０重量％以下のＣｒと、０．１０重量％以下のＺｎと、０．１０重量％以下のＴｉと、個々が０．０５重量％以下で合計が０．１５重量％以下の不可避不純物とを含み、残りをＡｌとしたものを、好ましく使用できる。また、断熱材８ａ１（８ａ２）〜８ｄ１（８ｄ２）を構成する合成樹脂としては、ポリアミド６（ナイロン６）や、これにガラス繊維を含有したものなどを利用できる。
【００２２】
次に、窓枠２を構成する枠材ごとに、構造を具体的に説明する。
［上枠５の構造］
上枠５は、窓枠２の上辺を構成し、面内方向（図１の左右方向、図２の表裏方向）に配置されている。上枠５は、図２に示したように、それぞれがアルミニウム合金製である、室外側に配置された室外側上枠１０及び室内側に配置された室内側上枠１１を、上下方向に離隔する状態で互いに平行に配置された、合成樹脂製で帯状（板状）の１対の断熱材８ａ１、８ａ２により、面外方向（図１の表裏方向、図２の左右方向）に連結することにより構成されている。
【００２３】
このために、面外方向に対向する室外側上枠１０の室内側面と室内側上枠１１の室外側面とに、それぞれ上下方向に間隔をあけて係止凹溝１２ａ、１２ｂを形成している。そして、断熱材８ａ１、８ａ２のそれぞれの幅方向（面外方向）両端部を、互いに整合する位置に設けられた係止凹溝１２ａ、１２ｂ同士の間に挿入した状態で、これら係止凹溝１２ａ、１２ｂの上下方向幅を縮める（かしめる）ことで、室外側上枠１０と室内側上枠１１とを断熱材８ａ１、８ａ２を介して連結している。本例では、室外側上枠１０、室内側上枠１１及び１対の断熱材８ａ１、８ａ２が、上枠５の全長にわたり設けられている。
【００２４】
室外側上枠１０には、外障子３の上辺を案内するための上部外レール１３が設けられている。これに対し、室内側上枠１１には、内障子４の上辺を案内するための上部内レール１４が設けられている。
【００２５】
１対の断熱材８ａ１、８ａ２は、上枠５の面外方向中央部に位置しており、かつ、外障子３及び内障子４の上方（面外方向に関して外障子３及び内障子４とそれぞれ整合する部分）に配置されている。１対の断熱材８ａ１、８ａ２の間には、スポンジ状の発泡ポリエチレン１５が配置されている。
【００２６】
上部外レール１３と上部内レール１４との間部分には、下方に位置する断熱材８ａ１を下方から覆うように、上枠カバー１６が配置されている。上枠カバー１６は、硬質の塩化ビニル（ＰＶＣ）製で、断面略Ｔ字形に構成されており、室外側上枠１０の下面に支持されている。具体的には、上枠カバー１６は、その室外側端部を室外側上枠１０の下面に形成された係合溝１０ａに係合させるとともに、その室内側端部を室内側上枠１１の下面に対して下方からねじ１７で固定することで、室外側上枠１０に支持されている。本例では、上枠カバー１６の下端部が、面外方向に関して、外障子３の上端部の室内側面と内障子４の上端部の室外側面との間に進入している。
【００２７】
［下枠６の構造］
下枠６は、窓枠２の下辺を構成し、面内方向（図１、図３及び図４の左右方向、図２の表裏方向）に配置されている。下枠６は、図２に示すように、それぞれがアルミニウム合金製である、室外側に配置された室外側下枠１８及び室内側に配置された室内側下枠１９を、上下方向に互いに離隔した状態で配置された、合成樹脂製で帯状の１対の断熱材８ｂ１、８ｂ２により、面外方向に連結することにより構成されている。
【００２８】
このために、面外方向に対向する室外側下枠１８の室内側面と室内側下枠１９の室外側面とに、それぞれ上下方向に間隔をあけて係止凹溝２０ａ、２０ｂを形成している。そして、断熱材８ｂ１、８ｂ２のそれぞれの幅方向（面外方向）両端部を、互いに整合する位置に設けられた係止凹溝２０ａ、２０ｂ同士の間に挿入した状態で、これら係止凹溝２０ａ、２０ｂの上下方向幅を縮めることで、室外側下枠１８と室内側下枠１９とを断熱材８ｂ１、８ｂ２を介して連結している。室外側下枠１８、室内側下枠１９及び１対の断熱材８ｂ１、８ｂ２は、下枠６の全長にわたり設けられている。
【００２９】
室外側下枠１８は、断面略矩形状の室外下枠本体２１と、外障子３の下辺を案内するための下部外レール２２ａを有する断面逆Ｙ字状の外レール部材２２とを、ねじ２３により結合することで構成されている。具体的には、室外下枠本体２１の室外側部の上面に、外レール部材２２をねじ２３により固定している。このため、室外下枠本体２１の室内側部は、外レール部材２２よりも下方に位置している。これに対し、室内側下枠１９は、全体が一体的に形成されており、断面略矩形状の室内下枠本体２４の上面の室内側部分に、内障子４の下辺を案内するための下部内レール２５が一体的に設けられている。また、室内側下枠１９の室内側端部には、室内下枠本体２４の上面の室内側端部に連続する状態で、断面クランク形の室内側立壁２６が設けられている。断熱材８ｂ１、８ｂ２の幅方向両端部を係止するための係止凹溝２０ａ、２０ｂは、室外下枠本体２１の室内側面及び室内下枠本体２４の室外側面に、それぞれ形成されている。
【００３０】
１対の断熱材８ｂ１、８ｂ２は、下枠６の面外方向中央部に位置しており、かつ、外障子３及び内障子４の下方（面外方向に関して外障子３及び内障子４とそれぞれ整合する部分）に配置されている。このため、室外側下枠１８の室内側端部よりも、外障子３の下端部（外下框４３）の室内側端部のほうが、室内側に位置している。また、室外下枠本体２１の上面及び室内下枠本体２４の上面は、それぞれ略水平に配置されているが、室外下枠本体２１の上面の方が、室内下枠本体２４の上面よりも下方に位置している。このため、室外下枠本体２１の上面と室内下枠本体２４の上面とを面外方向に連続させるように設けられた、断熱材８ｂ１の上面は、室外側に向かうほど下方に向かう方向に傾斜している。
【００３１】
本例では、下部外レール２２ａと下部内レール２５との間部分に、断熱材８ｂ１を上方から覆うように、下枠カバー２７を配置している。下枠カバー２７は、面内方向片側半部（図１、図３及び図１４の左側半部）に配置された第１下枠カバー２８と、面内方向他側半部（図１、図３及び図１４の右側半部）に配置された第２下枠カバー２９とから構成されている。本例では、第１下枠カバー２８と第２下枠カバー２９とを面内方向に連続させずに、下枠６の面内方向中央部で、かつ、面内方向に関して第１下枠カバー２８と第２下枠カバー２９との間に、図１４に示すように、隙間３０を設けている。隙間３０は、雨水などを下枠６の上面に導くための排水口として機能する。隙間３０は、外障子３及び内障子４の閉鎖状態で、外障子３を構成する外召し合わせ框４４及び内障子４を構成する内召し合わせ框９４の下方に位置しており、外部に露出することはない。
【００３２】
第１下枠カバー２８は、室外側に配置された塩化ビニル（ＰＶＣ）製の第１室外側下枠カバー片３１と、室内側に配置されたアルミニウム合金製の第１室内側下枠カバー片３２とから構されている。これに対し、第２下枠カバー２９は、室外側に配置されたアルミニウム合金製の第２室外側下枠カバー片３３と、室内側に配置された塩化ビニル製の第２室内側下枠カバー片３４とから構成されている。このように、下枠６の面内方向片側半部と他側半部とで、塩化ビニル製の下枠カバー片とアルミニウム合金製の下枠カバー片との、面外方向に関する取付位置が反対になっている。なお、第１下枠カバー２８及び第２下枠カバー２９は、それぞれ固定ブロック３５を介して、下枠６の上面に支持されている。
【００３３】
［竪枠７ａ、７ｂの構造］
左右の竪枠７ａ、７ｂのうち、面内方向に関して片側（図１及び図３の左側）に配置された竪枠７ａは、それぞれがアルミニウム合金製である室外側に配置された第１室外側竪枠３６及び室内側に配置された第１室内側竪枠３７を、面内方向に離隔する状態で互いに平行に配置された、合成樹脂製で帯状の１対の断熱材８ｃ１、８ｃ２により、面外方向に連結することにより構成されている。
【００３４】
このために、面外方向に対向する第１室外側竪枠３６の室内側面と第１室内側竪枠３７の室外側面とに、それぞれ面内方向に間隔をあけて係止凹溝３８ａ、３８ｂを形成している。そして、断熱材８ｃ１、８ｃ２のそれぞれの幅方向両端部を、互いに整合する位置に設けられた係止凹溝３８ａ、３８ｂ同士の間に挿入した状態で、これら係止凹溝３８ａ、３８ｂの面内方向幅を縮めることで、第１室外側竪枠３６と第１室内側竪枠３７とを断熱材８ｃ１、８ｃ２を介して連結している。また、断熱材８ｃ１、８ｃ２は、外障子３の側方（面外方向に関して外障子３と整合する室外寄り部分）に配置されている。
【００３５】
左右の竪枠７ａ、７ｂのうち、面内方向に関して他側（図１及び図３の右側）に配置された竪枠７ｂは、それぞれがアルミニウム合金製である室外側に配置された第２室外側竪枠３９及び室内側に配置された第２室内側竪枠４０を、面内方向に離隔する状態で互いに平行に配置された、合成樹脂製で帯状の１対の断熱材８ｄ１、８ｄ２により、面外方向に連結することにより構成されている。
【００３６】
このために、面外方向に対向する第２室外側竪枠３９の室内側面と第２室内側竪枠４０の室外側面とに、それぞれ面内方向に間隔をあけて係止凹溝４１ａ、４１ｂを形成している。そして、断熱材８ｄ１、８ｄ２のそれぞれの幅方向両端部を、互いに整合する位置に設けられた係止凹溝４１ａ、４１ｂ同士の間に挿入した状態で、これら係止凹溝４１ａ、４１ｂの面内方向幅を縮めることで、第２室外側竪枠３９と第２室内側竪枠４０とを断熱材８ｄ１、８ｄ２を介して連結している。また、断熱材８ｄ１、８ｄ２は、内障子４の側方（面外方向に関して内障子４と整合する室内寄り部分）に配置されている。
【００３７】
上述のような各枠材を連結することで構成される本例の窓枠２には、四方に配置された断熱材８ａ１（８ａ２）、８ｂ１（８ｂ２）、８ｃ１（８ｃ２）、８ｄ１（８ｄ２）により構成される枠側断熱ライン９が形成されている。本例では、下方に配置された断熱材８ｂ１（８ｂ２）を下枠カバー２７により覆っており、下枠６の面内方向中央部（隙間３０部分）を除いて、断熱材８ｂ１（８ｂ２）を露出させていない。このような窓枠２の内側に、面内方向に水平移動可能に建て込まれる外障子３及び内障子４の構造について、以下、それぞれ具体的に説明する。
【００３８】
［外障子３の全体構造］
外障子３は、上辺を構成する外上框４２と、下辺を構成する外下框４３と、それぞれが左右の縦辺を構成する縦框である外召し合わせ框４４及び外戸先框４５とにより、矩形板状のガラスパネル４６の四辺を囲むことにより構成されている。また、ガラスパネル４６の三方を取り囲むように、外障子３を構成する各框４２〜４５により構成される框枠体４７に、複数の断熱材４８ａ１（４８ａ２）〜４８ｃ１（４８ｃ２）により構成された框側断熱ライン４９ａを設けている。そして、このために、框枠体４７を構成する外上框４２、外下框４３及び外戸先框４５のそれぞれを、アルミニウム合金製の室外側フレーム（室外側框材）及び室内側フレーム（室内側框材）を、合成樹脂製の断熱材によって面外方向に連結した断熱框としている。また、断熱性能の向上を図るべく、框側断熱ライン４９ａの面外方向に関する形成位置を、窓枠２に設けられた枠側断熱ライン９と重畳させている。具体的には、外障子３の面外方向室内側に框側断熱ライン４９ａを形成している。なお、このため、戸車５８は面外方向室外側に設けられている。これに対し、框枠体４７を構成する外召し合わせ框４４に関しては、強度の向上を図るべく、断熱材を備えない非断熱框としている。
【００３９】
なお、框枠体４７を構成する各框４２〜４５に関しても、アルミニウム合金として、例えば、Ａ６０６３Ｓ−Ｔ５材（ＪＩＳ Ｈ ４１００）を使用することができ、断熱材を構成する合成樹脂としては、ポリアミド６（ナイロン６）や、これにガラス繊維を含有したものなどを利用できる。また、図示の例では、ガラスパネル４６として、複層（３層）ガラスを使用した例を示しているが、２層ガラスや断熱性能を有する単層ガラスを使用することもできる。
【００４０】
［外障子３を構成する外上框４２の構造］
外上框４２は、図２に示すように、それぞれがアルミニウム合金製である、室外側に配置された室外側外上框５０及び室内側に配置された室内側外上框５１を、上下方向に離隔する状態で互いに平行に配置された合成樹脂製で帯状の１対の断熱材４８ａ１、４８ａ２により、面外方向に連結することにより構成されている。
【００４１】
このために、面外方向に対向する室外側外上框５０の室内側面と室内側外上框５１の室外側面とに、それぞれ上下方向に間隔をあけて係止凹溝５２ａ、５２ｂを形成している。そして、断熱材４８ａ１、４８ａ２のそれぞれの幅方向両端部を、互いに整合する位置に設けられた係止凹溝５２ａ、５２ｂ同士の間に挿入した状態で、これら係止凹溝５２ａ、５２ｂの上下方向幅を縮めることで、室外側外上框５０と室内側外上框５１とを断熱材４８ａ１、４８ａ２を介して連結している。このような状態で、外上框４２の下端部に、ガラスパネル４６の上辺が挿入されるガラス溝５３ａが設けられている。また、断熱材４８ａ１、４８ａ２は、ガラスパネル４６の上方（面外方向に関してガラスパネル４６と整合する部分）に配置されており、下方に配置された断熱材４８ａ１は、ガラス溝５３ａの底部の一部（室内側半部）を構成している。また、室外側外上框５０の上端部には、上面に開口する状態で、上部外レール１３と係合可能な上部外案内溝５４が設けられている。
【００４２】
［外障子３を構成する外下框４３の構造］
外下框４３は、図２に示すように、それぞれがアルミニウム合金製である、室外側に配置された室外側外下框５５及び室内側に配置された室内側外下框５６を、上下方向に離隔する状態で互いに平行に配置された合成樹脂製で帯状の１対の断熱材４８ｂ１、４８ｂ２により、面外方向に連結することにより構成されている。
【００４３】
このために、面外方向に対向する室外側外下框５５の室内側面と室内側外下框５６の室外側面とに、それぞれ上下方向に間隔をあけて係止凹溝５７ａ、５７ｂを形成している。そして、断熱材４８ｂ１、４８ｂ２のそれぞれの幅方向両端部を、互いに整合する位置に設けられた係止凹溝５７ａ、５７ｂ同士の間に挿入した状態で、これら係止凹溝５７ａ、５７ｂの上下方向幅を縮めることで、室外側外下框５５と室内側外下框５６とを断熱材４８ｂ１、４８ｂ２を介して連結している。このような状態で、外下框４３の上端部に、ガラスパネル４６の下辺が挿入されるガラス溝５３ｂが設けられている。また、断熱材４８ｂ１、４８ｂ２は、ガラスパネル４６の下方（面外方向に関してガラスパネル４６と整合する部分）に配置されており、上方に配置された断熱材４８ｂ１は、ガラス溝５３ｂの底部の一部（室内側半部）を構成している。また、室外側外下框５５には、下部外レール２２ａと係合可能な戸車５８が設けられている。
【００４４】
［外障子３を構成する外召し合わせ框４４の構造］
外召し合わせ框４４は、図３〜図５に示すように、全体がアルミニウム合金製で、外障子３を構成するその他の框枠材４２、４３、４５とは異なり、断熱材を備えない非断熱框である。外召し合わせ框４４は、中空筒部５９と、室外側縦板６０と、室内側縦板６１と、煙返し６２とを有している。
【００４５】
中空筒部５９は、断面矩形筒状で、外召し合わせ框４４の面内方向他側半部に設けられている。室外側縦板６０及び室内側縦板６１は、外召し合わせ框４４の面内方向片側半部に設けられており、面外方向に離隔した状態で、中空筒部５９の面内方向片端部につながっている。そして、中空筒部５９と室外側縦板６０と室内側縦板６１とにより三方が囲まれた部分に、ガラスパネル４６の側辺を挿入するためのガラス溝５３ｃを形成している。また、室外側縦板６０及び室内側縦板６１の面内方向片端部は、面内方向に関して互いに同じ位置に存在している。煙返し６２は、断面略Ｌ字形で、中空筒部５９の室内側面に設けられている。
【００４６】
本例では、外召し合わせ框４４を構成する中空筒部５９、室内側縦板６１の室内側面及び面内方向片端部の一部を、図６に示すような、合成樹脂製のカバー６３により、上下方向に全長にわたり覆っている。カバー６３は、長尺状の板状部材であり、その室外側面と室内側縦板６１の室内側面との間には、断面矩形状の隙間である排水路６４が合計３つ、上下方向に設けられている。排水路６４の下端部は、下枠６を上方から覆うように設けられた第１下枠カバー２８と第２下枠カバー２９との間の隙間３０に開口している。このようなカバー６３は、塩化ビニル（ＰＶＣ）などの比較的硬質の合成樹脂から造られており、覆い部６５と、張出部６６とを備えている。
【００４７】
覆い部６５は、中空筒部５９及び室内側縦板６１の室内側に配置されており、面外方向に離隔した状態で互いに平行に配置された第一、第二覆い板６７、６８と、面内方向に離隔した状態で互いに平行に配置された１対の支持板部６９ａ、６９ｂとを有している。第一覆い板６７は、覆い部６５の面内方向他側に設けられており、中空筒部５９及び室内側縦板６１の室内側面との間にそれぞれ排水路６４となる面外方向に関する隙間を介在させた状態で、その面内方向他端部を煙返し６２に突き当てている。１対の支持板部６９ａ、６９ｂは、第一覆い板６７の室外側面から室外側に張り出すように設けられている。第二覆い板６８は、覆い部６５の面内方向片側に設けられており、室内側縦板６１の室内側面との間に排水路６４となる面外方向に関する隙間を介在させた状態で、支持板部６９ａと張出部６６とを面内方向につないでいる。
【００４８】
張出部６６は、矩形筒状に構成されており、カバー６３の面内方向片端部に設けられ、室内側縦板６１の面内方向片端部（先端部）よりも面内方向片側に張り出している。張出部６６の面内方向他側の室外側角部には係合凹部７０が設けられており、室内側縦板６１の面内方向片端部に設けられた係合片７１と係合している。これにより、張出部６６が室内側縦板６１に対して面外方向に変位することを防止している。
【００４９】
カバー６３を構成する張出部６６と外障子３を構成するガラスパネル４６との間には、シール材７２が、上下方向にわたり設けられている。シール材７２は、断面略コ字状で、全体が中空状に構成されており、カバー６３よりも軟質材製のゴムや合成樹脂などの材料から造られている。本例では、二色成形により、硬度が互いに異なるカバー６３とシール材７２を一体に成形している。
ただし、本発明を実施する際には、シール材をカバーとは別体のものとして、シール材をカバー（張出部）とガラスパネルとの間に設ける構成を採用することもできる。カバーとガラスパネルとの間にシール材を設ける手段は特に問わず、例えば成形品であるシール材（例えばパッキン材など）をカバーに対して、接着剤を用いた接着固定や、ねじ固定、かしめ固定、凹凸係合などによって取り付けることもできるし、あるいは、シール材としてシーリング材を用いた場合には、カバーとガラスパネルとの間に充填する方法を採用することができる。
【００５０】
本例では、シール材７２の室外側側面（先端面）を、ガラスパネル４６の室内側面に弾性的に接触させている。つまり、シール材７２は、面外方向に潰れた状態で、ガラスパネル４６の室内側面に接触している。このため、シール材７２は、室内側縦板６１よりも面内方向片側に位置しており、かつ、その一部（先半部）が室内側縦板６１よりも室外側に位置している。このようなシール材７２を設けることで、室内側縦板６１（カバー６３の張出部６６）とガラスパネル４６との間の空間を密閉しつつ上下方向にわたり塞いでいる。
【００５１】
上述のような構成を有するカバー６３及びシール材７２は、外召し合わせ框４４に対し、ねじ止め固定されている。このために、図７の（Ａ）に示すように、外召し合わせ框４４を構成するガラス溝５３ｃの内側にガラスパネル４６を挿入する以前に、室内側縦板６１の室外側及び室内側に、それぞれが金属製で長尺状の長板部材である室外側裏板７３及び室内側裏板７４を配置する。次いで、図７の（Ｂ）に示すように、外召し合わせ框４４を構成するガラス溝５３ｃの内側に、ガラスパネル４６の側辺を挿入する。また、ガラスパネル４６と室外側縦板６０及び室内側縦板６１との間に、パッキン７５ａ、７５ｂ及びシーリング材７６を設ける。
【００５２】
次いで、図８の（Ａ）に示すように、カバー６３の室内側に、金属板製の目板７７を取り付ける。目板７７は、平板状の本体板部７８と、本体板部７８の面内方向片端部から室外側に直角に折れ曲がるように設けられた折れ曲がり部７９と、本体板部７８の室外側面の面内方向中間部に設けられた、断面略Ｌ字形の係止片８０とを備えている。このような目板７７は、図８の（Ｂ）に示すように、折れ曲がり部７９を張出部６６の面内方向側面に突き当てた状態で、係止片８０を第一覆い板６７の面内方向片端部に係止することで、カバー６３の室内側に支持する。そして、目板７７及びカバー６３（第二覆い板６８）を室内側から挿通した複数本の固定ねじ８１ａを室内側裏板７４に螺合するとともに、目板７７、カバー６３（第一覆い板６７）及び室内側縦板６１を室内側から挿通した複数本の固定ねじ８１ｂを室外側裏板７３に螺合することで、図８の（Ｃ）に示すように、カバー６３及びシール材７２を、外召し合わせ框４４に対してねじ止め固定する。なお、固定ねじ８１ａ、８１ｂはそれぞれ、上下方向に所定の間隔をあけて固定している。また、目板７７を固定ねじ８１ａ、８１ｂの座として利用することで、該固定ねじ８１ａ、８１ｂの締め込みによるカバー６３の変形を防止している。
【００５３】
また、窓装置１の施錠を行うために、外召し合わせ框４４にクレセント受８２を設けるとともに、後述する内召し合わせ框９４にクレセント８３を設けている。
【００５４】
クレセント受８２は、図９に示すように、鉤部８４が設けられた受本体８５と、補助金具８６とを、１対の結合ねじ８７により結合して成る。本例では、このようなクレセント受８２を、外召し合わせ框４４に固定するために、図１０に示すように、カバー６３を構成する張出部６６の上下方向中間部の面内方向片側面に、開口部（切り欠き）８８を形成している。
【００５５】
そして、図１１の（Ａ）→（Ｂ）に示すように、補助金具８６の面内方向他側部を、開口部８８を通じて、第二覆い板６８と目板７７との間に配置し、目板７７を挿通した固定ねじ１２３により、目板７７に対してねじ止め固定する。これにより、補助金具８６を、目板７７を介して外召し合わせ框４４に固定する。次いで、図１２の（Ａ）→（Ｂ）に示すように、受本体８５を、補助金具８６に対し１対の結合ねじ８７を用いてねじ止め固定する。
【００５６】
［外障子３を構成する外戸先框４５の構造］
外戸先框４５は、図３に示すように、それぞれがアルミニウム合金製である、室外側に配置された室外側外戸先框８９及び室内側に配置された室内側外戸先框９０を、面内方向に離隔する状態で互いに平行に配置された、合成樹脂製で帯状の１対の断熱材４８ｃ１、４８ｃ２により、面外方向に連結することにより構成されている。
【００５７】
このために、面外方向に対向する室外側外戸先框８９の室内側面と室内側外戸先框９０の室外側面とに、それぞれ面内方向に間隔をあけて係止凹溝９１ａ、９１ｂを形成している。そして、断熱材４８ｃ１、４８ｃ２のそれぞれの幅方向両端部を、互いに整合する位置に設けられた係止凹溝９１ａ、９１ｂ同士の間に挿入した状態で、これら係止凹溝９１ａ、９１ｂの面内方向幅を縮めることで、室外側外戸先框８９と室内側外戸先框９０とを断熱材４８ｃ１、４８ｃ２を介して連結している。このような状態で、外戸先框４５の面内方向に関する他側端部に、ガラスパネル４６の側辺が挿入されるガラス溝５３ｄが設けられている。また、断熱材４８ｃ１、４８ｃ２は、ガラスパネル４６の側方（面外方向に関してガラスパネル４６と整合する部分）に配置されており、面内方向に関して他側に配置された断熱材４８ｃ１は、ガラス溝５３ｄの底部の一部を構成している。
【００５８】
［内障子４の全体構造］
内障子４は、上辺を構成する内上框９２と、下辺を構成する内下框９３と、それぞれが左右の縦辺を構成する縦框である内召し合わせ框９４及び内戸先框９５とにより、矩形板状のガラスパネル９６の四辺を囲むことにより構成されている。また、ガラスパネル９６の周囲を取り囲むように、内障子４を構成する各框９２〜９５により構成される框枠体９７に、複数の断熱材４８ｄ１（４８ｄ２）〜４８ｇ１（４８ｇ２）により構成された框側断熱ライン４９ｂを設けている。そして、このために、框枠体９７を構成する内上框９２、内下框９３、内召し合わせ框９４及び内戸先框９５のそれぞれを、アルミニウム合金製の室外側フレーム（室外側框材）及び室内側フレーム（室内側框材）を、合成樹脂製の断熱材によって面外方向に連結した連結構造としている。また、断熱性能の向上を図るべく、框側断熱ライン４９ｂの面外方向に関する形成位置を、窓枠２に設けられた枠側断熱ライン９と重畳させている。具体的には、内障子４の面外方向室外側に框側断熱ライン４９ｂを形成している。なお、このため、戸車５８は面外方向室内側に設けられている。
【００５９】
なお、框枠体９７を構成する各框９２〜９５に関しても、アルミニウム合金として、例えば、Ａ６０６３Ｓ−Ｔ５材（ＪＩＳ Ｈ ４１００）を使用することができ、断熱材を構成する合成樹脂としては、ポリアミド６（ナイロン６）や、これにガラス繊維を含有したものなどを利用できる。また、図示の例では、ガラスパネル９６として、複層（３層）ガラスを使用した例を示しているが、２層ガラスや断熱性能を有する単層ガラスを使用することもできる。
【００６０】
［内障子４を構成する内上框９２の構造］
内上框９２は、図２に示すように、それぞれがアルミニウム合金製である、室外側に配置された室外側内上框９８及び室内側に配置された室内側内上框９９を、上下方向に離隔する状態で互いに平行に配置された、合成樹脂製で帯状の１対の断熱材４８ｄ１、４８ｄ２により、面外方向に連結することにより構成されている。
【００６１】
このために、面外方向に対向する室外側内上框９８の室内側面と室内側内上框９９の室外側面とに、それぞれ上下方向に間隔をあけて係止凹溝１００ａ、１００ｂを形成している。そして、断熱材４８ｄ１、４８ｄ２のそれぞれの幅方向両端部を、互いに整合する位置に設けられた係止凹溝１００ａ、１００ｂ同士の間に挿入した状態で、これら係止凹溝１００ａ、１００ｂの上下方向幅を縮めることで、室外側内上框９８と室内側内上框９９とを断熱材４８ｄ１、４８ｄ２を介して連結している。このような状態で、内上框９２の下端部に、ガラスパネル９６の上辺が挿入されるガラス溝１０１ａが設けられている。また、断熱材４８ｄ１、４８ｄ２は、ガラスパネル９６の上方（面外方向に関してガラスパネル９６と整合する部分）に配置されており、下方に配置された断熱材４８ｄ１は、ガラス溝１０１ａの底部の一部（室外側半部）を構成している。また、室内側内上框９９の上端部には、上面に開口する状態で、上部内レール１４と係合可能な上部内案内溝１０２が設けられている。
【００６２】
［内障子４を構成する内下框９３の構造］
内下框９３は、図２に示すように、それぞれがアルミニウム合金製である、室外側に配置された室外側内下框１０３及び室内側に配置された室内側内下框１０４を、上下方向に離隔する状態で互いに平行に配置された、合成樹脂製で帯状の１対の断熱材４８ｅ１、４８ｅ２により、面外方向に連結することにより構成されている。
【００６３】
このために、面外方向に対向する室外側内下框１０３の室内側面と室内側内下框１０４の室外側面とに、それぞれ上下方向に間隔をあけて係止凹溝１０５ａ、１０５ｂを形成している。そして、断熱材４８ｅ１、４８ｅ２のそれぞれの幅方向両端部を、互いに整合する位置に設けられた係止凹溝１０５ａ、１０５ｂ同士の間に挿入した状態で、これら係止凹溝１０５ａ、１０５ｂの上下方向幅を縮めることで、室外側内下框１０３と室内側内下框１０４とを断熱材４８ｅ１、４８ｅ２を介して連結している。このような状態で、内下框９３の上端部に、ガラスパネル９６の下辺が挿入されるガラス溝１０１ｂが設けられている。また、断熱材４８ｅ１、４８ｅ２は、ガラスパネル９６の下方（面外方向に関してガラスパネル９６と整合する部分）に配置されており、上方に配置された断熱材４８ｅ１は、ガラス溝１０１ｂの底部の一部（室外側半部）を構成している。また、室内側内下框１０４には、下部内レール２５と係合可能な戸車５８が設けられている。
【００６４】
［内障子４を構成する内召し合わせ框９４の構造］
内召し合わせ框９４は、図３、図４及び図１３に示すように、それぞれがアルミニウム合金製である、室外側に配置された室外側内召し合わせ框１０６及び室内側に配置された室内側内召し合わせ框１０７を、面内方向に離隔する状態で互いに平行に配置された、合成樹脂製で帯状の１対の断熱材４８ｆ１、４８ｆ２により、面外方向に連結することにより構成されている。
【００６５】
このために、面外方向に対向する室外側内召し合わせ框１０６の室内側面と室内側内召し合わせ框１０７の室外側面とに、それぞれ面内方向に間隔をあけて係止凹溝１０８ａ、１０８ｂを形成している。そして、断熱材４８ｆ１、４８ｆ２のそれぞれの幅方向両端部を、互いに整合する位置に設けられた係止凹溝１０８ａ、１０８ｂ同士の間に挿入した状態で、これら係止凹溝１０８ａ、１０８ｂの面内方向幅を縮めることで、室外側内召し合わせ框１０６と室内側内召し合わせ框１０７とを断熱材４８ｆ１、４８ｆ２を介して連結している。このような状態で、内召し合わせ框９４の面内方向に関する片側端部に、ガラスパネル９６の側辺が挿入されるガラス溝１０１ｃが設けられている。また、断熱材４８ｆ１、４８ｆ２は、ガラスパネル９６の側方（面外方向に関してガラスパネル９６と整合する部分）に配置されており、面内方向に関して他側に配置された断熱材４８ｆ１は、ガラス溝１０１ｃの底部の一部を構成している。
【００６６】
本例では、内召し合わせ框９４を構成する室外側内召し合わせ框１０６及び断熱材４８ｆ２を、アルミニウム合金製の第一内カバー１０９により面内方向片側から覆っている。第一内カバー１０９は、室内側内召し合わせ框１０７に対してねじ止め固定された補強板１１０により面内方向他側からバックアップされた状態で、断熱材４８ｆと略平行に配置されており、その室内側端部が室内側内召し合わせ框１０７に形成された係合凹溝１１１に係合されている。また、この状態で、第一内カバー１０９の面内方向片側面と室内側内召し合わせ框１０７の面内方向片側面とは、同一平面上に位置している。このように、本例では、アルミニウム合金製の第一内カバー１０９を、室内側内召し合わせ框１０７に連続するように設けているため、室内側からの意匠性を向上することができる。また、第一内カバー１０９の室外側端部と室外側内召し合わせ框１０６との間に、合成樹脂製の第二内カバー１１２を設けている。第二内カバー１１２は、カバー６３及び目板７７と面外方向に対向している。さらに、内召し合わせ框９４の面内方向片端部（第一内カバー１０９及び室内側内召し合わせ框１０７の面内方向片側面）の位置を、外召し合わせ框４４を構成する室外側縦板６０及び室内側縦板６１の面内方向片端部の位置よりも、カバー６３を構成する張出部６６の分だけ、面内方向片側に位置させている。ただし、内召し合わせ框９４の面内方向片端部の位置は、本例の位置に限定されず、外召し合わせ框４４を構成する室外側縦板６０及び室内側縦板６１の面内方向片端部の位置と一致させてもよい。あるいは、外召し合わせ框４４を構成する室外側縦板６０とカバー６３を構成する張出部６６の面内方向片端部の位置を一致させ、かつ、これらの面内方向位置と内召し合わせ框９４の面内方向片端部の位置を一致させてもよい。
【００６７】
室外側内召し合わせ框１０６の室外側面には、断面略Ｌ字形の煙返し１１３が設けられているとともに、上下方向に伸長した凹溝１１４が設けられている。凹溝１１４には、気密材１１５が係止されており、気密材１１５の先端縁は、目板７７の室内側面に対して摺動可能に接触している。
【００６８】
上述のような構成を有する内召し合わせ框９４には、クレセント８３が取り付けられている。クレセント８３は、支持軸１１６回りに回転可能に支持された皿板状の掛け部１１７を備えている。このようなクレセント８３は、第一内カバー１０９及び補強部材１１８を介して、室外側内召し合わせ框１０６に対してねじ止め固定されている。
【００６９】
［内障子４を構成する内戸先框９５の構造］
内戸先框９５は、図３に示したように、それぞれがアルミニウム合金製である、室外側に配置された室外側内戸先框１１９及び室内側に配置された室内側内戸先框１２０を、面内方向に離隔する状態で互いに平行に配置された、合成樹脂製で帯状の１対の断熱材４８ｇ１、４８ｇ２により、面外方向に連結することにより構成されている。
【００７０】
このために、面外方向に対向する室外側内戸先框１１９の室内側面と室内側内戸先框１２０の室外側面とに、それぞれ面内方向に間隔をあけて係止凹溝１２１ａ、１２１ｂを形成している。そして、断熱材４８ｇ１、４８ｇ２のそれぞれの幅方向両端部を、互いに整合する位置に設けられた係止凹溝１２１ａ、１２１ｂ同士の間に挿入した状態で、これら係止凹溝１２１ａ、１２１ｂの面内方向幅を縮めることで、室外側内戸先框１１９と室内側内戸先框１２０とを断熱材４８ｇ１、４８ｇ２を介して連結している。このような状態で、内戸先框９５の面内方向に関する他側端部に、ガラスパネル９６の側辺が挿入されるガラス溝１０１ｄが設けられている。また、断熱材４８ｇ１、４８ｇ２は、ガラスパネル９６の側方（面外方向に関してガラスパネル９６と整合する部分）に配置されており、面内方向に関して片側に配置された断熱材４８ｇ１は、ガラス溝１０１ｄの底部の一部を構成している。
【００７１】
以上のような本例の窓装置１によれば、外障子３を構成する外召し合わせ框４４の強度確保と、窓装置１の断熱性能の確保との両立を図れる。
すなわち、本例では、外召し合わせ框４４を、全体がアルミニウム合金製で、外障子３を構成するその他の框枠材４２、４３、４５とは異なり、断熱材を備えない非断熱框としている。このため、断熱材を備えた断熱框とした場合に比べて、外召し合わせ框４４の耐風圧強度を高めることができる。
【００７２】
また、外召し合わせ框４４を構成する中空筒部５９及び室内側縦板６１の室内側面を、合成樹脂製のカバー６３により上下方向に覆うとともに、カバー６３を構成する張出部６６と外障子３を構成するガラスパネル４６との間に、シール材７２を設けている。このため、その一部が室外に露出していることに起因して外召し合わせ框４４が冷やされた場合にも、外召し合わせ框４４の冷気が、外召し合わせ框４４の室内側縦板６１を通じて、室内側縦板６１の周囲（特に室内側及び面内方向片側）に伝わることを防止できる。従って、外召し合わせ框４４を断熱材を備えない非断熱框とした場合にも、窓装置１の断熱性能を確保することが可能になる。
【００７３】
さらに本例では、上述のような外召し合わせ框４４と面外方向に対向配置される内召し合わせ框９４を、断熱材４８ｆ１、４８ｆ２を備えた断熱框とするだけでなく、外気によって冷やされ易い室外側内召し合わせ框１０６の面内方向片側に、第一内カバー１０９及び第二内カバー１１２を設けている。これにより、第一内カバー１０９と、第二内カバー１１２と、室外側内召し合わせ框１０６と、断熱材４８ｆ２と、室内側内召し合わせ框１０７とによって囲まれる部分に、断熱空間１２２を形成している。このため、室外側内召し合わせ框１０６を取り囲むように、カバー６３及びシール材７２、第二内カバー１１２、断熱空間１２２、及び、断熱材４８ｆ１、４８ｆを配置できるため、室外側内召し合わせ框１０６の冷気が周囲に伝わることを有効に防止できる。従って、窓装置１の断熱性能の更なる向上を図ることができる。
【００７４】
また、外召し合わせ框４４が外気により冷やされることで、外召し合わせ框４４を構成する室内側縦板６１の室内側面に結露が生じた場合にも、結露水を、室内側縦板６１とカバー６３（第一覆い板６７及び第二覆い板６８）との間に形成された排水路６４を通じて、下枠６に設けられた隙間３０に導くことができる。このため、結露水を、室内側の居住者の目に入ることなく、下枠６を通じて外部に排出することができる。また、カバー６３の張出部６６とシール材７２が、室内側縦板６１の面内方向片端部の全面を覆うとともに、ガラスパネル４６との間の空間を塞いでいるので、室内空気中の水蒸気が室内側縦板６１側に侵入することを防止できる。これにより、室内側縦板６１の面内方向片端部の結露発生を抑えることもできる。
【００７５】
さらに本例では、窓枠２のうち、外障子３が閉鎖状態で位置する面内方向片側部分と、内障子４が位置する面内方向他側部分とで、共通の枠側断熱ライン９を形成しているが、面内方向片側に位置する竪枠７ａの断熱材８ｃ１（８ｃ２）と、面内方向他側に位置する竪枠７ｂの断熱材８ｄ１（８ｄ２）との、面外方向位置をずらしている。具体的には、面内方向片側に位置する竪枠７ａの断熱材８ｃ１（８ｃ２）は、外障子３と対向する位置に設けているのに対し、面内方向他側に位置する竪枠７ｂの断熱材８ｄ１（８ｄ２）は、内障子４と対向する位置に設けている。加えて、上枠５及び下枠６を構成する断熱材８ａ１（８ａ２）、８ｂ１（８ｂ２）は、竪枠７ａの断熱材８ｃ１（８ｃ２）及び竪枠７ｂの断熱材８ｄ１（８ｄ２）に対してそれぞれ面外方向に整合するように、面外方向中央部に設けている。したがって、本例では、枠側断熱ライン９よりも室外側に存在する各枠材（室外側上枠１０、室外側下枠１８、第１室外側竪枠３６、第２室外側竪枠３９）の温度が外気の温度に近づいた（例えば冷やされた）場合にも、枠側断熱ライン９よりも室内側に存在する各枠材（室内側上枠１１、室内側下枠１９、第１室内側竪枠３７、第２室内側竪枠４０）の温度が、外気の温度に応じて変化することを有効に防止できる。このため、例えば、面外方向に関して外障子と整合する部分にのみ断熱ラインを形成した場合のように、内障子全体が断熱ラインよりも室内側に位置することに起因して、窓枠のうちで内障子を支持した各枠材の室内側部分（室内側フレーム）の温度が、外気の温度に応じて変化し易くなることを防止できる。
【００７６】
本発明は、引き違い式の窓装置に限らず、片引き式の窓装置や両引き式の窓装置に適用することもできる。
【符号の説明】
【００７７】
１    窓装置
２    窓枠
３    外障子
４    内障子
５    上枠
６    下枠
７ａ、７ｂ  竪枠
８ａ１、８ａ２〜８ｄ１、８ｄ２断熱材
９    枠側断熱ライン
１０    室外側上枠
１０ａ  係合溝
１１    室内側上枠
１２ａ、１２ｂ  係止凹溝
１３    上部外レール
１４    上部内レール
１５    発泡ポリエチレン
１６    上枠カバー
１７    ねじ
１８    室外側下枠
１９    室内側下枠
２０ａ、２０ｂ  係止凹溝
２１    室外下枠本体
２２    外レール部材
２２ａ  下部外レール
２３    ねじ
２４    室内下枠本体
２５    下部内レール
２６    室内側立壁
２７    下枠カバー
２８    第１下枠カバー
２９    第２下枠カバー
３０    隙間
３１    第１室外側下枠カバー片
３２    第１室内側下枠カバー片
３３    第２室外側下枠カバー片
３４    第２室内側下枠カバー片
３５    固定ブロック
３６    第１室外側竪枠
３７    第１室内側竪枠
３８ａ、３８ｂ  係止凹溝
３９    第２室外側竪枠
４０    第２室内側竪枠
４１ａ、４１ｂ  係止凹溝
４２    外上框
４３    外下框
４４    外召し合わせ框
４５    外戸先框
４６    ガラスパネル
４７    框枠体
４８ａ１、４８ａ２〜４８ｇ１、４８ｇ２  断熱材
４９ａ、４９ｂ  框側断熱ライン
５０    室外側外上框
５１    室内側外上框
５２ａ、５２ｂ  係止凹溝
５３ａ〜５３ｄ  ガラス溝
５４    上部外案内溝
５５    室外側外下框
５６    室内側外下框
５７ａ、５７ｂ  係止凹溝
５８    戸車
５９    中空筒部
６０    室外側縦板
６１    室内側縦板
６２    煙返し
６３    カバー
６４    排水路
６５    覆い部
６６    張出部
６７    第一覆い板
６８    第二覆い板
６９ａ、６９ｂ  支持板部
７０    係合凹部
７１    係合片
７２    シール材
７３    室外側裏板
７４    室内側裏板
７５ａ、７５ｂ  パッキン
７６    シーリング材
７７    目板
７８    本体板部
７９    折れ曲がり部
８０    係止片
８１ａ、８１ｂ  固定ねじ
８２    クレセント受
８３    クレセント
８４    鉤部
８５    受本体
８６    補助金具
８７    結合ねじ
８８    開口部
８９    室外側外戸先框
９０    室内側外戸先框
９１ａ、９１ｂ  係止凹溝
９２    内上框
９３    内下框
９４    内召し合わせ框
９５    内戸先框
９６    ガラスパネル
９７    框枠体
９８    室外側内上框
９９    室内側内上框
１００ａ、１００ｂ  係止凹溝
１０１ａ〜１０１ｄ  ガラス溝
１０２    上部内案内溝
１０３    室外側内下框
１０４    室内側内下框
１０５ａ、１０５ｂ  係止凹溝
１０６    室外側内召し合わせ框
１０７    室内側内召し合わせ框
１０８ａ、１０８ｂ  係止凹溝
１０９    第一内カバー
１１０    補強板
１１１    係合凹溝
１１２    第二内カバー
１１３    煙返し
１１４    凹溝
１１５    気密材
１１６    支持軸
１１７    掛け部
１１８    補強部材
１１９    室外側内戸先框
１２０    室内側内戸先框
１２１ａ、１２１ｂ  係止凹溝
１２２    断熱空間
１２３    固定ねじ
【図１】
2019120062.tif 000003
【図２】
2019120062.tif 000004
【図３】
2019120062.tif 000005
【図４】
2019120062.tif 000006
【図５】
2019120062.tif 000007
【図６】
2019120062.tif 000008
【図７】
2019120062.tif 000009
【図８】
2019120062.tif 000010
【図９】
2019120062.tif 000011
【図１０】
2019120062.tif 000012
【図１１】
2019120062.tif 000013
【図１２】
2019120062.tif 000014
【図１３】
2019120062.tif 000015
【図１４】
2019120062.tif 000016